(57)【要約】      （修正有）【課題】カートリッジを構成する上ケースと下ケースとの境界から塵埃がカートリッジ内に侵入することを防止した記録メディアカートリッジを提供する。【解決手段】記録テープカートリッジ１０は、ケース１２を構成する上ケース１４及び下ケース１６と、上ケース１４と下ケース１６との境界を塞ぐ弾性部材１７と、を備えている。また、記録テープカートリッジ１０の装填方向に沿ったケース側壁では、弾性部材１７を構成する張出し部がケース外周側に張り出している。【選択図】図２
2010061745.tif 000002
【特許請求の範囲】
【請求項１】
記録メディア収容用のケースを構成する上ケース及び下ケースと、
前記上ケースと下ケースとの境界を塞ぐシール部材と、
を備えた、記録メディアカートリッジ。
【請求項２】
前記シール部材が弾性部材で構成される、請求項１に記載の記録メディアカートリッジ。
【請求項３】
少なくともドライブ装置への装填方向に沿ったケース側壁では、前記弾性部材の一部がケース外周側に張り出している、請求項２に記載の記録メディアカートリッジ。
【請求項４】
前記上ケースと前記下ケースとの間に前記弾性部材が保持されるように、前記上ケースの下ケース側エッジ部、及び、前記下ケースの上ケース側エッジ部の少なくとも一方に弾性部材保持部を形成した、請求項２又は３に記載の記録メディアカートリッジ。
【発明の詳細な説明】
【技術分野】
【０００１】
本発明は、記録メディアをケース内に収容した記録メディアカートリッジに関する。
【背景技術】
【０００２】
従来から、コンピューター等のデータ記録再生媒体として使用されている記録テープ（例えば磁気テープ）を単一のリールに巻装し、そのリールをケース内に収容してなる記録メディアカートリッジ（例えば磁気テープカートリッジ）が知られている（例えば特許文献１参照）。この記録テープの先端には、リーダーブロックやリーダーピン、リーダーテープといったリーダー部材が設けられており、そのリーダー部材をドライブ装置側に設けられた引出手段が記録メディアカートリッジから引き出し、それに固着された記録テープをドライブ装置側の巻取リールに巻装させるようになっている。
【特許文献１】特開２００４−２１３７４０号公報
【発明の開示】
【発明が解決しようとする課題】
【０００３】
ところで、リールを収容しているケースは、通常、上ケースと下ケースとで構成される。このため、上ケースと下ケースとの間から塵埃がケース内に進入することの防止が重要である。
【０００４】
本発明は、上記事実を考慮して、カートリッジを構成する上ケースと下ケースとの境界から塵埃がカートリッジ内に侵入することを防止した記録メディアカートリッジを提供することを課題とする。
【課題を解決するための手段】
【０００５】
請求項１に記載の発明は、記録メディア収容用のケースを構成する上ケース及び下ケースと、前記上ケースと下ケースとの境界を塞ぐシール部材と、を備えている。
【０００６】
ケース内に収容される記録メディア（記録媒体）は、テープ状であってもディスク状であってもよく、特に限定はしない。
【０００７】
請求項１に記載の発明では、上ケースと下ケースとの間がこのシール部材によって塞がれているので、上ケースと下ケースとの間から塵埃がケース内に進入することが十分に防止されている。
【０００８】
請求項２に記載の発明は、前記シール部材が弾性部材で構成される。
弾性部材としては、ゴム材であることが多い。
【０００９】
請求項３に記載の発明は、少なくともドライブ装置への装填方向に沿ったケース側壁では、前記弾性部材の一部がケース外周側に張り出している。
【００１０】
ドライブ装置やライブラリー装置と装填方向に沿ったケース側壁では摩耗粉が発生し易い。請求項２に記載の発明では、このケース側壁では弾性部材の一部がケース外周側に張り出しているので、請求項１による効果がより顕著に奏される。
【００１１】
請求項４に記載の発明は、前記上ケースと前記下ケースとの間に前記弾性部材が保持されるように、前記上ケースの下ケース側エッジ部、及び、前記下ケースの上ケース側エッジ部の少なくとも一方に弾性部材保持部を形成している。
【００１２】
これにより、ケースを組み立てる際に弾性部材が上ケースと下ケースとによって保持される。
【００１３】
なお、記録メディア収容用のケースを構成する上ケース及び下ケースと、上ケースと下ケースとの境界の少なくとも一部でケース外周側に張出している低摩擦部材と、を備えた記録テープカートリッジとしてもよく、更には、記録テープに限らずに一般的な記録媒体を収容している記録メディアカートリッジとしてもよい。これにより、ドライブ装置やライブラリー装置とケース側壁とが接触しても摩耗粉の発生を抑えることができる。
【００１４】
この場合、ドライブ装置やライブラリー装置と接触し易いケース側壁、すなわち、装填方向と平行なケース側壁にこの低摩擦部材を配置すると、この効果が更に顕著となる。
【００１５】
また、上ケースと下ケースとの間にこの低摩擦部材が保持されるように、上ケースの下ケース側エッジ部、及び、下ケースの上ケース側エッジ部の少なくとも一方に低摩擦部材保持部を形成してもよい。これにより、ケースを組み立てる際に低摩擦部材が上ケースと下ケースとによって保持される。
【発明の効果】
【００１６】
本発明によれば、カートリッジを構成する上ケースと下ケースとの境界から塵埃がカートリッジ内に侵入することを防止した記録メディアカートリッジとすることができる。
【発明を実施するための最良の形態】
【００１７】
以下、本発明の最良な実施の形態について、記録テープカートリッジを例に挙げ、図面を用いて詳細に説明する。なお、説明の便宜上、図１において、本実施形態で説明する記録テープカートリッジ１０のドライブ装置への装填方向を矢印Ａで示し、それを記録テープカートリッジ１０の前方向（前側）とする。そして、矢印Ａと直交する矢印Ｂ方向を右方向（右側）とする。また、矢印Ａ方向及び矢印Ｂ方向と直交する方向を矢印Ｃで示し、それを記録テープカートリッジ１０の上方向（上側）とする。まず最初に、記録テープカートリッジ１０について説明する。
【００１８】
（記録テープカートリッジの全体構成）
図１〜図３で示すように、記録テープカートリッジ１０は、略矩形箱状のケース１２を有している。このケース１２は、ポリカーボネート（ＰＣ）等の樹脂製の上ケース１４と下ケース１６とが、それぞれ天板１４Ａの周縁に立設された周壁１４Ｂと、底板１６Ａの周縁に立設された周壁１６Ｂとを互いに当接させた状態で、超音波溶着やビス止め等によって接合されて構成されている。
【００１９】
すなわち、例えば上ケース１４及び下ケース１６にはビスボス１５がそれぞれ各コーナー部近傍に形成されており、下ケース１６の下面側から、そのビスボス１５に図示しないビスが螺合されることにより、ケース１２が組み立てられるようになっている。
【００２０】
また、記録テープカートリッジ１０は、上ケース１４と下ケース１６とに挟持状態で保持されている弾性部材１７を有しており、上ケース１４と下ケースとの境界が弾性部材１７によって塞がれている。本実施形態では、弾性部材１７はゴム材で構成される。この弾性部材１７はケース側壁に沿った形状とされている。そして、後述の開口１８に弾性部材１７を位置させないように、開口１８に対応する部位が切り欠かれた形状となっている。
【００２１】
ケース１２の内部には、リール２０が１つだけ回転可能に収容されている。このリール２０は、軸心部を構成する有底円筒状のリールハブ２２と、その下端部に設けられる下フランジ２６とが一体に成形され、上フランジ２４がリールハブ２２の上端部に超音波溶着されて構成されている。そして、そのリールハブ２２の外周面に、情報記録再生媒体としての磁気テープ等の記録テープＴが巻回され、上フランジ２４及び下フランジ２６によって、その巻回された記録テープＴの幅方向の端部が保持されている。
【００２２】
また、リールハブ２２の底壁（底部）２８の下面（外面）には、リールギア４４が環状に形成されており、下ケース１６の中央部には、そのリールギア４４を外部に露出するためのギア開口４０が穿設されている。このギア開口４０から露出されるリールギア４４が、ドライブ装置の回転シャフト（図示省略）に形成された駆動ギア（図示省略）に噛合されて回転駆動されることにより、ケース１２内において、リール２０がケース１２に対して相対回転可能とされる。
【００２３】
また、底壁２８の下面におけるリールギア４４の径方向内側には、磁性材料でできた環状金属板であるリールプレート４６が、インサート成形により、同軸的かつ一体的に固着されており、ドライブ装置の回転シャフトに設けられた環状のマグネット（図示省略）の磁力によって吸着・保持されるようになっている。更に、リール２０は、上ケース１４及び下ケース１６の内面にそれぞれ部分的に突設されて、ギア開口４０と同軸的な円形の軌跡上にある内壁としての遊動規制壁４２によってガタつかないように保持されている。
【００２４】
また、下ケース１６のギア開口４０の周縁部４０Ｅにはリング状で断面略半円形状の凹部４１が形成されている。そして、この凹部４１に、弾性部材としてオーリング状のゴム材２１が圧入されて嵌合状態で保持されている。ゴム材２１の材質は、リール２０から衝撃力を受けても発塵しにくい防塵性の材質であることが更に好ましく、シリコーンゴム、ウレタンゴム、フッ素ゴム、ニトリルゴムなどが例として挙げられる。
【００２５】
また、ケース１２の右壁１２Ｂには、リール２０に巻装された記録テープＴを引き出すための開口１８が形成されており、この開口１８から引き出される記録テープＴの自由端部には、ドライブ装置の引出部材（図示省略）によって係止（係合）されつつ引き出し操作されるリーダーピン３０が固着されている。リーダーピン３０の記録テープＴの幅方向端部より突出した両端部には、環状溝３２が形成されており、この環状溝３２が引出部材のフック等に係止される。これにより、記録テープＴを引き出す際に、フック等が記録テープＴに接触して傷付けることがない構成である。
【００２６】
また、ケース１２の開口１８の内側、即ち上ケース１４の天板１４Ａ内面及び下ケース１６の底板１６Ａ内面には、ケース１２内においてリーダーピン３０を位置決めして保持する上下一対のピン保持部３６が設けられている。このピン保持部３６は、記録テープＴの引き出し側が開放された略半円形状をしており、直立状態のリーダーピン３０の両端部３４Ｌ、３４Ｕは、その開放側からピン保持部３６内に出入可能とされている。
【００２７】
また、ピン保持部３６の近傍には、板バネ３８が固定配置されるようになっており、この板バネ３８を構成する２本のアーム部１０８Ｌ、１０８Ｕの先端部がリーダーピン３０の上下両端部３４Ｌ、３４Ｕにそれぞれ係合してリーダーピン３０をピン保持部３６に保持する（すなわち引出抵抗を付与する）ようになっている。なお、リーダーピン３０がピン保持部３６に出入する際には、アーム部１０８Ｌ、１０８Ｕは適宜弾性変形してリーダーピン３０の移動を許容する構成である。
【００２８】
また、その開口１８は、ドア５０によって開閉される。このドア５０は、開口１８を閉塞可能な大きさの略矩形板状に形成され、ケース１２の右壁１２Ｂに沿って移動できるように、開口１８内側の天板１４Ａ及び底板１６Ａには、ドア５０の上下端部を摺動可能に嵌入させる溝部６４が形成されている。
【００２９】
また、ドア５０の後端部中央には、シャフト５２が突設されており、そのシャフト５２には、コイルバネ５８が挿嵌されている。そして、シャフト５２の後端には、そのコイルバネ５８を脱落防止とする拡開部５４が形成されている。また、下ケース１６には、そのシャフト５２に挿嵌されたコイルバネ５８の後端を係止する係止部６２を有する支持台６０が突設されている。
【００３０】
したがって、ドア５０は、シャフト５２が支持台６０上に摺動自在に支持されるとともに、コイルバネ５８の後端が係止部６２に係止されることにより、そのコイルバネ５８の付勢力によって、常時開口１８の閉塞方向へ付勢される構成である。なお、開口１８の開放時、シャフト５２を支持する支持台６６を支持台６０の後方側に更に突設しておくことが好ましい。
【００３１】
また、ドア５０の前端部には、開閉操作用の凸部５６が外方に向かって突設されている。この凸部５６が、記録テープカートリッジ１０のドライブ装置への装填に伴い、そのドライブ装置側の開閉部材（図示省略）と係合するようになっている。これにより、ドア５０がコイルバネ５８の付勢力に抗して開放される構成である。
【００３２】
また、図２、図３で示すように、ケース１２の左後部には、記録テープＴへの記録可・不可が設定されるライトプロテクト７０が左右方向にスライド可能に設けられており、ケース１２の後壁１２Ｄには、このライトプロテクト７０を人手で操作するための操作突起７２を突出させる開孔６８が形成されている。この開孔６８は、上ケース１４と下ケース１６とを接合したときに、上ケース１４の周壁１４Ｂに形成された切欠部６８Ａと、下ケース１６の周壁１６Ｂに形成された切欠部６８Ｂとによって形成される構成である。
【００３３】
また更に、下ケース１６には、ライトプロテクト７０の突部７４が露出される長孔６９が左右方向に長く穿設されており、記録テープカートリッジ１０がドライブ装置に装填されたときに、そのドライブ装置側でライトプロテクト７０の位置を検知して、記録テープＴへの記録可・不可が自動的に判断されるようになっている。なお、この突部７４は下ケース１６の下面から突出することはない。また、図２で示すように、ケース１２の右後部には、記録容量、記録形式等の各種情報が記憶されたメモリーボードＭが所定の傾斜角度で配置されるようになっている。
【００３４】
また、図２、図３で示すように、リールハブ２２の底壁２８の上面周縁には、係合ギア４８が所定の間隙を隔てて（等間隔に）複数（例えば１２０度間隔で３個）立設されており、その係合ギア４８の間で、リールギア４４上となる所定位置には、貫通孔２８Ａが複数（この場合は１２０度間隔で３個）穿設されている。そして、そのリールハブ２２の内部には、樹脂材で成形された円板状の制動部材８０が挿設される。
【００３５】
制動部材８０の下面８０Ａ周縁には、係合ギア４８と噛合可能な制動ギア８４が環状に形成されており、制動部材８０の上面には、上ケース１４の天板１４Ａ内面から下方へ向かって突設された平面視略十字状の回転規制リブ７６が内部に挿入される平面視略十字状の係合突起８６が、その回転規制リブ７６の高さよりも若干高くなるように立設されている。これにより、制動部材８０はケース１２（上ケース１４）に対して回転不能とされるとともに、リールハブ２２内において、上下方向に移動可能とされる。
【００３６】
また、上ケース１４と制動部材８０との間には圧縮コイルバネ９８が配設される。すなわち、圧縮コイルバネ９８の一端が上ケース１４の回転規制リブ７６の外側に突設された環状突起７８の内側（回転規制リブ７６と環状突起７８の間）に当接し、他端が制動部材８０の上面に設けられた環状溝８８内に当接した状態に配設される。この圧縮コイルバネ９８の付勢力により、制動部材８０は、常時下方に向かって付勢される。本実施形態では、圧縮コイルバネ９８は円筒外周に沿った形状とされている。
【００３７】
したがって、記録テープカートリッジ１０は、不使用時（ドライブ装置に装填されないとき）において、常時制動ギア８４が係合ギア４８と噛合する状態とされて、リール２０のケース１２に対する相対回転が阻止された回転ロック状態とされる。なお、このとき、リール２０は、この付勢力によって下ケース１６側に押し付けられ、リールギア４４をギア開口４０から露出させる。
【００３８】
また、リールハブ２２の内部で、かつ制動部材８０の下側（底壁２８と制動部材８０との間）には、樹脂材で成形された平面視略正三角形状の解除部材９０が挿設される。解除部材９０には、適宜位置に所定の形状とされた貫通孔９２が複数（図示のものは六角形状とされて３つ）穿設されており、解除部材９０の軽量化が図られている。そして、解除部材９０の下面で、かつ各頂点部分には、貫通孔２８Ａに挿通されて底壁２８の下面からリールギア４４上に所定高さ突出する脚部９４が突設されている。
【００３９】
また、解除部材９０の上面９０Ａ中央には平面状の支持凸部９６が形成されており、制動部材８０の下面８０Ａ中央に突設された略半球状の解除突起８２が当接するようになっている（図２、図３参照）。これにより、制動部材８０と解除部材９０との接触面積が低減され、使用時（リール２０の回転時）における摺動抵抗が軽減される構成である。なお、制動部材８０の材質としては、例えばポリアセタール（ＰＯＭ）が用いられ、解除部材９０の材質としては、例えばポリブチレンテレフタレート（ＰＢＴ）が用いられる。
【００４０】
（弾性部材及びその保持構造の詳細）
以下、弾性部材１７と、ケース１２が弾性部材１７を保持する構造とについて詳細に説明する。
【００４１】
図４に示すように、弾性部材１７は、断面長方形状のベース部１７Ｍと、装填方向（Ａ方向）に沿ってベース部１７Ｍに連続して一部がケース外周側に張り出す張出し部１７Ｐと、で構成されている。
【００４２】
一方、上ケース１４の下ケース側エッジ部１２５には弾性部材１７の上半分を収容する上側凹部１２４が形成され、下ケース１６の上ケース側エッジ部１２７には弾性部材１７の下半分を収容する下側凹部１２６が形成されている。そして、上側凹部１２４と下側凹部１２６とによって弾性部材１７を保持する弾性部材保持部１２０が形成されている。
【００４３】
下側凹部１２６は、ベース部１７Ｍのケース内側に当接してベース部１７Ｍを支えるケース内側延出し部１３０と、張出し部１７Ｐの下側に当接するケース外側延出し部１３２とを有しており、ケース内側延出し部１３０とケース外側延出し部１３２との間にベース部１７Ｍの下部１７Ｌが圧入される構造を形成している。
【００４４】
上側凹部１２４は、ケース内側延出し部１３０の先端が当接するケース内側被当接部１４０と、張出し部１７Ｐの上側に当接するケース外側延出し部１４２とを有しており、ケース内側延出し部１３０とケース外側延出し部１４２との間にベース部１７Ｍの上部１７Ｕが圧入される構造を形成している。
【００４５】
このような構成により、ケース１２が組み立てられた状態では、弾性部材保持部１２０に弾性部材１７が嵌合状態で保持される構成になっている。
【００４６】
（作用、効果）
以上のような構成の記録テープカートリッジ１０において、次にその作用、効果について説明する。不使用時（保管時や運搬時等）において、記録テープカートリッジ１０の開口１８は、ドア５０によって閉塞されている。そして、圧縮コイルバネ９８の付勢力によって、制動部材８０が回転ロック位置に位置して制動ギア８４を係合ギア４８に噛合させている。このため、リール２０は、ケース１２に対する回転が阻止されている。
【００４７】
一方、記録テープＴを使用する際には、前壁１２Ａを先頭にして記録テープカートリッジ１０を矢印Ａ方向に沿って、ドライブ装置内へ装填する。すると、まず、そのドライブ装置側に設けられた開閉部材が、ドア５０の凸部５６に係合する。そして、この状態で、記録テープカートリッジ１０が更に矢印Ａ方向へ移動すると、開閉部材が凸部５６をコイルバネ５８の付勢力に抗しつつ相対的に後方へ移動させる。すると、その凸部５６が突設されているドア５０は、右壁１２Ｂに沿って溝部６４内を後側へ摺動し、開口１８を開放する。
【００４８】
こうして、記録テープカートリッジ１０がドライブ装置に所定深さ装填され、開口１８が完全に開放されると、記録テープカートリッジ１０は所定高さ下降し、ドライブ装置の位置決め部材（図示省略）が、下ケース１６に形成された位置決め用の穴部（図示省略）に挿入される。これにより、記録テープカートリッジ１０がドライブ装置内における所定位置に正確に位置決めされ、ドア５０のそれ以上の摺動（後方への移動）が規制される。
【００４９】
また、この記録テープカートリッジ１０の下降動作によって、回転シャフトが相対的にギア開口４０から進入し、駆動ギアをリールギア４４に噛合させる。すると、その駆動ギアがリールギア４４と噛合する動作に伴って、リールギア４４上に突出している脚部９４が、圧縮コイルバネ９８の付勢力に抗して押し上げられ、解除部材９０を介して制動部材８０が上方へ押し上げられて、制動ギア８４と係合ギア４８との噛合が解除される。
【００５０】
そして、駆動ギアとリールギア４４とが完全に噛合した状態で、リールプレート４６が、駆動ギアの内側に設けられた環状のマグネットの磁力によって吸着・保持されることにより、リール２０は、駆動ギアに対するリールギア４４の噛合が維持されつつ、ケース１２内で、そのケース１２に対して相対回転可能となるロック解除状態とされる。
【００５１】
一方、開放された開口１８からは、ドライブ装置側に設けられた引出部材がケース１２内に進入して、ピン保持部３６に位置決め保持されたリーダーピン３０を把持し、引き出す力を付与する。この結果、アーム部１０８Ｌ、１０８Ｕが矢印Ａ方向（前方向）に変形して、リーダーピン３０が引き出される。なお、このとき、記録テープカートリッジ１０はドライブ装置内において正確に位置決めされているので、引出部材は確実にリーダーピン３０の環状溝３２にそのフックを係止させることができる。また、リール２０は、その回転ロック状態が解除されているので、リーダーピン３０の引出動作に伴って回転できる。
【００５２】
こうして、開口１８から抜き出されたリーダーピン３０は、図示しない巻取リールに収容される。そして、その巻取リールとリール２０とを同期して回転駆動することにより、記録テープＴは、巻取リールに巻き取られつつ順次ケース１２から引き出され、所定のテープ経路に沿って配設された記録再生ヘッド（図示省略）によって情報の記録や再生が行われる。
【００５３】
情報の記録や再生が終了した記録テープカートリッジ１０をドライブ装置から排出する際には、まず、回転シャフトが逆回転することにより、記録テープＴがリール２０に巻き戻される。そして、記録テープＴがリール２０に最後まで巻き戻されて、リーダーピン３０が凸部１１６に当接して押圧することによりアーム部１０８Ｌ、１０８Ｕを前方向に撓み変形させる。
【００５４】
そして、リーダーピン３０がピン保持部３６の収容位置に収容されると、アーム部１０８の撓み変形による付勢力により、リーダーピン３０は引き出し前の状態に戻り、ピン保持部３６の内側壁に押圧されて安定して保持される。
【００５５】
リーダーピン３０がピン保持部３６に保持されると、記録テープカートリッジ１０は所定高さ上昇し、位置決め部材が位置決め用の穴部から抜き出されるとともに、回転シャフトがギア開口４０から抜き出され、リールギア４４に対する駆動ギアの噛合が解除される。
【００５６】
すると、圧縮コイルバネ９８の付勢力により、制動部材８０及び解除部材９０が下方に向かって押圧され、脚部９４が貫通孔２８Ａに挿通されて底壁２８の下面からリールギア４４上に所定高さ突出するとともに、制動ギア８４が係合ギア４８に噛合する。これにより、リール２０は、再度ケース１２内での相対回転が阻止された回転ロック状態となり、その後、記録テープカートリッジ１０は、図示しないイジェクト機構によって矢印Ａ方向とは反対方向に移動される。
【００５７】
すると、この移動に伴って、ドア５０はコイルバネ５８の付勢力によって開口１８の閉塞方向へ摺動し、開口１８を完全に閉塞する（初期状態に復帰する）。こうして、リール２０のケース１２に対する相対回転がロックされ、開口１８が閉塞された記録テープカートリッジ１０は、ドライブ装置内から完全に排出される。
【００５８】
このような動作が可能な記録テープカートリッジ１０では、上ケース１４と下ケース１６との間がこの弾性部材１７によって塞がれているので、上ケース１４と下ケース１６との間から塵埃がケース１２内に進入することが十分に防止されている。
【００５９】
更に、装填方向（Ａ方向）に沿ったケース側壁１２Ｓ１、１２Ｓ２では、弾性部材１７を構成する張出し部１７Ｐがケース外周側に張り出している（図１参照）。そして、弾性部材１７を上側凹部１２４と下側凹部１２６とで嵌合状態で保持しており、しかも、ケース内側延出し部１３０によってベース部１７Ｍがケース内側から支えられている（図４参照）。これにより、張出し部１７Ｐが形成されているケース側壁部では、上ケース１４と下ケース１６との間に塵埃が入ることすら防止される。また、張出し部１７Ｐがドライブ装置やライブラリー装置に接触してケース内側に向けて押圧されても、張出し部１７Ｐが確実に支えられる。そして、記録テープカートリッジ１０に落下等による衝撃が加えられる際、張出し部１７Ｐに衝撃力が加えられたときにはこの衝撃が緩和される。従って、記録テープカートリッジ１０の耐久性が向上する。また、ドライブ装置やライブラリー装置とケース側壁１２Ｓ１、１２Ｓ２とが接触しても弾性部材１７の特に張出し部１７Ｐが弾性変形し、摩耗粉の発生が抑えられる。
【００６０】
また、ケースを組み立てる際に弾性部材１７が上ケースと下ケースとによって保持され、ベース部１７Ｍを接着剤等によってケース側壁の内側に固着する必要がない。
【００６１】
また、不使用時にはリール２０がゴム材２１に支えられており、図４に示すように、リール２０と下ケース１６とは接触していない。
【００６２】
使用時では、ドライブ装置からのチャッキングによって、リール２０が押し上げられて回転可能な状態になる。なお、この状態ではリール２０はゴム材２１とは接触していない。
【００６３】
チャッキング終了時にはリール２０が下方に下がる。ここで、下ケース１６の凹部４１にはゴム材２１が配置されている。従って、リールハブ２２の下部外周よりもやや内側部位がゴム材２１に当接してリール２０がゴム材２１に支えられ、リール２０が下ケース１６に直接に当接することはない。よって、リール２０と下ケース１６との摺接等による摩耗粉の発生が防止される。そして、ゴム材２１がケース１２やリール２０と接触しても塵埃はほとんど発生しない。
【００６４】
また、チャッキング終了時などでリール２０がゴム材２１に衝撃的に当接しても、ゴム材２１が緩衝材としての役割を果たし、衝撃が緩和される。更には、記録テープカートリッジ１０に落下等による衝撃が加えられたときでも、ゴム材２１の緩衝材としての機能により衝撃力が緩和されるので、記録テープカートリッジ１０の耐久性が向上する。
【００６５】
また、寸法精度上、ゴム材２１はリール２０よりもケース１２に配置するほうが好ましい。本実施形態では、下ケース１６に形成されたチャッキング用のギア開口４０の周縁部４０Ｅにゴム材２１が配置されているので、ゴム材２１の配置位置精度を高くすることができる。
【００６６】
また、この周縁部４０Ｅにはゴム材２１と嵌合する凹部４１が形成されている。これにより、ゴム材２１を意図する配置位置に確実に配置することができ、記録メディアカートリッジ１０の使用によってゴム材２１の配置位置がずれることが防止される。
【００６７】
そして、ゴム材２１は周縁部４０Ｅに全周にわたって形成されている。従って、不使用状態ではリール２０が全周にわたってゴム材２１に接触している。これにより、ケース１２内の空間が塞がれており、外部空間の塵埃がギア開口４０を経由してケース１２内に進入することが阻止されている。
【００６８】
なお、弾性部材１７に代えて摺動用の低摩擦部材を配置すると、摺動による摩耗粉の発生が大きく抑えられる。この場合、低摩擦部材がシール機能を有するように配置していなくてもよいが、シール機能を有するように配置したほうが好ましい。この低摩擦部材としては、テフロン（登録商標）、ナイロン、ポリアセタールなどからなる部材が例として挙げられる。
【００６９】
以上、実施形態を挙げて本発明の実施の形態を説明したが、上記実施形態は一例であり、要旨を逸脱しない範囲内で種々変更して実施できる。
【００７０】
例えば、弾性部材１７の張出し部１７Ｐの先端部（ケース外周側の端部）に張出し部１７Ｐよりも上下方向幅が広い広幅部を形成し、ベース部１７Ｍとこの広幅部とで上ケース１４及び下ケース１６の縁部を挟む構造にしてもよい。これにより、弾性部材１７がケース１２により強固に固定される。
【００７１】
また、上記実施形態では単一のリールがケース内に収容されている例で説明したが、２つのリールがケース内に収容された２リール型の記録テープカートリッジであっても本発明による効果を奏することができる。
【００７２】
また、本発明の権利範囲が上記実施形態に限定されないことは言うまでもない。
【図面の簡単な説明】
【００７３】
【図１】本発明の一実施形態に係る記録テープカートリッジの概略斜視図
【図２】本発明の一実施形態に係る記録テープカートリッジを上方から見た場合の概略分解斜視図
【図３】本発明の一実施形態に係る記録テープカートリッジを下方から見た場合の概略分解斜視図
【図４】図４（Ａ）及び（Ｂ）は、それぞれ、本発明の一実施形態に係る記録テープカートリッジの部分拡大側面断面図、及び、分解状態で示す部分拡大側面断面図
【符号の説明】
【００７４】
１０      記録テープカートリッジ（記録メディアカートリッジ）
１２      ケース
１２Ｓ１  ケース側壁
１２Ｓ２  ケース側壁
１４      上ケース
１６      下ケース
１７      弾性部材
１２０    弾性部材保持部
１２５    上ケースの下ケース側エッジ部
１２７    下ケースの上ケース側エッジ部
【図１】
2010061745.tif 000003
【図２】
2010061745.tif 000004
【図３】
2010061745.tif 000005
【図４】
2010061745.tif 000006